(57)【要約】      （修正有）【課題】少ない伸縮リンクのストロークでベッド板を水平位置と傾斜位置の間で回動させることができ、ベッド板の跳ね上がり等を防止しつつ、ベッド板を任意の傾斜位置で停止させることができるベッドを得る。【解決手段】傾斜支持機構Ｓは、ベッド基台とベッド板とをそれらの両側辺に沿う位置で連結する長リンク１５および短リンク１７からなるリンク機構ＬＫと、ベッド板を水平位置と傾斜位置との間で変位させるようにリンク機構ＬＫに作用する伸縮リンク１６とを備える。短リンク１７の両端は、ベッド基台とベッド板の一端部に近い位置でベッド基台とベッド板に枢着され、長リンク１５の両端は、短リンク１７の両端より上記一端部から離れた位置でベッド基台とベッド板に枢着され、長リンク１５の途中部分とベッド基台１０との間に、伸縮リンク１６が伸縮作動可能に連結される。伸縮リンク１６は、互いに螺合する雄ねじ４３および雌ねじ３９と、雄ねじ４３を回転させて伸縮リンクの伸縮作動を行うモータＭとを備える。【選択図】図３
0003130246.tif 000002
【実用新案登録請求の範囲】
【請求項１】
内部空間を有するベッド基台と、該ベッド基台上に位置するベッド板と、前記ベッド基台上で水平をなす水平位置と前記ベッド基台上で傾斜する傾斜位置との間で前記ベッド板を変位させるように、前記ベッド基台上に前記ベッド板を支持する傾斜支持機構とを備え、前記傾斜支持機構は、前記ベッド基台と前記ベッド板とをそれらの両側辺に沿う位置で連結する短リンクおよび長リンクからなるリンク機構と、前記ベッド板を前記水平位置と前記傾斜位置との間で変位させるように前記リンク機構を作動させる伸縮リンクとを備える傾斜支持機構付きベッドであって、
前記短リンクの両端は、前記ベッド基台および前記ベッド板の一端部に近い位置で前記ベッド基台および前記ベッド板に枢着され、前記長リンクの両端は、前記短リンクの両端より前記一端部から離れた位置で前記ベッド基台および前記ベッド板に枢着され、前記長リンクの途中部分と前記ベッド基台との間に、前記伸縮リンクが伸縮作動可能に連結され、前記伸縮リンクは、互いに螺合する雄ねじおよび雌ねじと、これら両ねじの一方を回転させて伸縮リンクの伸縮作動を行うモータとを備えることを特徴とする傾斜支持機構付きベッド。
【請求項２】
前記ベッド基台および前記ベッド板の前記両側辺は、前記ベッド基台および前記ベッド板の長手方向両側辺であり、前記ベッド基台および前記ベッド板の前記一端部は、前記ベッド基台および前記ベッド板の長手方向に関しての一端部であることを特徴とする請求項１記載の傾斜支持機構付きベッド。
【請求項３】
前記伸縮リンクは、前記雄ネジを回転可能に収容する筒体と、該筒体の基端に固定されるとともに前記モータを支持する歯車ボックスと、前記筒体内に回転を阻止された状態でその軸線方向に摺動可能に支持されたナット体と、前記歯車ボックス内に収容され、前記モータの回転を前記雄ネジに伝達する歯車機構と、前記筒体内にその軸線方向に摺動可能に挿入され、かつ前記ナット体に一端が連結されてその他端側が前記筒体内から同軸的に外部に延びるロッドとからなることを特徴とする請求項１または２記載の傾斜支持機構付きベッド。
【請求項４】
前記筒体の外面にその内部と連通する中空溝部が長手方向に設けられ、該中空溝部に前記ナット体の外周に形成した突条が係合されてナット体の回転が阻止されることを特徴とする請求項３に記載の傾斜支持機構付きベッド。
【請求項５】
前記中空溝部内に伸縮リンクの伸縮の限界位置を検出して前記モータを停止させるリミットスイッチが設けられたことを特徴とする請求項４に記載の傾斜支持機構付きベッド。
【請求項６】
前記歯車機構はウォーム歯車機構であることを特徴とする請求項３、４または５記載の傾斜支持機構付きベッド。
【請求項７】
前記歯車ボックスが前記ベッド基台に枢着され、前記ロッドの先端が前記長リンクに枢着されたことを特徴とする請求項３、４、５または６記載の傾斜支持機構付きベッド。
【請求項８】
前記伸縮リンクの基端が、前記ベッド基台に固着された型材に枢着されたことを特徴とする請求項３、４、５、６または７記載の傾斜支持機構付きベッド。
【考案の詳細な説明】
【技術分野】
【０００１】
本考案は、内部空間を有するベッド基台と、該ベッド基台上に位置して開閉可能なベッド板とからなる傾斜支持機構付きベッドに関する。
【背景技術】
【０００２】
都市では、人口の密集によって居住空間が狭くなってきているので、狭い居住空間において、いかに融通性を備える収納空間を確保するかは家具設計業者の研究開発の目標となっている。
【０００３】
居住空間の中で最も広い空間を占拠するベッドに関していえば、例えばソファーベッドは、日中、ソファーとして使用するときはベッド基台上のベッド板を折り畳み、夜間はベッド板を展開してベッドとして使用するものであり、簡単に折り畳むことができるとともに、ベッド基台内部に物を収容できるため便利で、多くの用途があるが、実際に使用する上でその柔軟性が十分ではなく、ベッド板を折り畳むことによりベッド板が折れ曲がってしまうことがある等の欠点があった。
【０００４】
かかる問題を解決するために、例えば特許文献１に記載の傾斜支持機構付きベッドが提案されている。この形式の傾斜支持機構付きベッドは、内部空間を有するベッド基台と、該ベッド基台上に位置するベッド板と、ベッド基台上で水平をなす水平位置とベッド基台上で傾斜する傾斜位置との間で前記ベッド板を変位させるように、ベッド基台上にベッド板を支持する傾斜支持機構とを備え、傾斜支持機構は、ベッド基台とベッド板とをそれらの両側辺に沿う位置で連結する短リンクおよび長リンクからなるリンク機構と、ベッド板を水平位置と傾斜位置との間で変位させるようにリンク機構を作動させる伸縮リンクとを備えている。
【０００５】
【特許文献１】登録実用新案第３０００９６２号公報
【０００６】
上記従来の傾斜支持機構付きベッドでは、ベッド板を水平位置と傾斜位置との間で変位させるようにリンク機構を作動させる伸縮リンクは、その基端がベッド基台に枢着されるとともにその先端部がベッド板に枢着されるとともに、ばね入り油圧シリンダまたはエアシリンダにより構成されている。
【０００７】
したがって、従来の傾斜支持機構付きベッドでは、ベッド板を水平位置と傾斜位置の間で回動させるために、ベッド板の回動角度にほぼ比例する伸縮リンクのストロークを必要とし、結果的に伸縮リンクの必要ストロークが大きくなってしまう。また、従来の傾斜支持機構付きベッドでは、伸縮リンクとしてばね入り油圧シリンダまたはエアシリンダを用いているので、ベッド板の重量が油圧シリンダまたはエアシリンダのばね設定値との関係で軽すぎる場合、油圧シリンダまたはエアシリンダが跳ね上がることが起こり、また、ベッド板を無段階の任意傾斜位置で停止させるには特別の仕掛けが必要になり、また、ベッド板をベッド基台上の水平位置に安定的に固定しにくいという欠点がある。
【考案の開示】
【考案が解決しようとする課題】
【０００８】
本考案は上記課題を解決するためになされたもので、その課題は、少ない伸縮リンクのストロークでベッド板を水平位置と傾斜位置の間で回動させるができ、ベッド板の跳ね上がりなど防止しつつベッド板を任意の傾斜位置に無段階に停止させることが容易で、ベッド板をベッド基台上の水平位置に安定的に固定することができる傾斜支持機構付きベッドを得ることにある。
【課題を解決するための手段】
【０００９】
請求項１に記載の考案は、内部空間を有するベッド基台と、該ベッド基台上に位置するベッド板と、前記ベッド基台上で水平をなす水平位置と前記ベッド基台上で傾斜する傾斜位置との間で前記ベッド板を変位させるように、前記ベッド基台上に前記ベッド板を支持する傾斜支持機構とを備え、前記傾斜支持機構は、前記ベッド基台と前記ベッド板とをそれらの両側辺に沿う位置で連結する短リンクおよび長リンクからなるリンク機構と、前記ベッド板を前記水平位置と前記傾斜位置との間で変位させるように前記リンク機構を作動させる伸縮リンクとを備える傾斜支持機構付きベッドであって、前記短リンクの両端は、前記ベッド基台および前記ベッド板の一端部に近い位置で前記ベッド基台および前記ベッド板に枢着され、前記長リンクの両端は、前記短リンクの両端より前記一端部から離れた位置で前記ベッド基台および前記ベッド板に枢着され、前記長リンクの途中部分と前記ベッド基台との間に、前記伸縮リンクが伸縮作動可能に連結され、前記伸縮リンクは、互いに螺合する雄ねじおよび雌ねじと、これら両ねじの一方を回転させて伸縮リンクの伸縮作動を行うモータとを備えることを特徴とする。
【００１０】
請求項２に記載の考案は、請求項１記載の傾斜支持機構付きベッドにおいて、前記ベッド基台および前記ベッド板の前記両側辺は、前記ベッド基台および前記ベッド板の長手方向両側辺であり、前記ベッド基台および前記ベッド板の前記一端部は、前記ベッド基台および前記ベッド板の長手方向に関しての一端部であることを特徴とする。
【００１１】
請求項３に記載の考案は、請求項１または２記載の傾斜支持機構付きベッドにおいて、前記伸縮リンクは、前記雄ねじを回転可能に収容する筒体と、該筒体の基端に固定されるとともに前記モータを支持する歯車ボックスと、前記筒体内に回転を阻止された状態でその軸線方向に摺動可能に支持されたナット体と、前記歯車ボックス内に収容され、前記モータの回転を前記雄ねじに伝達する歯車機構と、前記筒体内にその軸線方向に摺動可能に挿入され、かつ前記ナット体に一端が連結されてその他端側が前記筒体内から同軸的に外部に延びるロッドとからなることを特徴とする。
【００１２】
請求項４に記載の考案は、請求項３に記載の傾斜支持機構付きベッドにおいて、前記筒体の外面にその内部と連通する中空溝部が長手方向に設けられ、該中空溝部に前記ナット体の外周に形成した突条が係合されてナット体の回転がを阻止されることを特徴とする。
【００１３】
請求項５に記載の考案は、請求項４に記載の傾斜支持機構付きベッドにおいて、前記中空溝部内に伸縮リンクの伸縮の限界位置を検出して前記モータを停止させるリミットスイッチが設けられたことを特徴とする。
【００１４】
請求項６に記載の考案は、請求項３、４または５に記載の傾斜支持機構付きベッドにおいて、前記歯車機構はウォーム歯車機構であることを特徴とする。
【００１５】
請求項７に記載の考案は、請求項３、４、５または６に記載の傾斜支持機構付きベッドにおいて、前記歯車ボックスが前記ベッド基台に枢着され、前記ロッドの先端が前記長リンクに枢着されたことを特徴とする
【００１６】
請求項８に記載の考案は、請求項３、４、５、６または７に記載の傾斜支持機構付きベッドにおいて、前記伸縮リンクの基端が、前記ベッド基台に固着された型材に枢着されたことを特徴とする。
【考案の効果】
【００１７】
請求項１に記載の考案においては、少ない伸縮リンクのストロークでベッド板を水平位置と傾斜位置の間で回動させるができ、ベッド板の跳ね上がりなど防止しつつベッド板を任意の傾斜位置に無段階に停止させることが容易で、ベッド板をベッド基台上の水平位置に安定的に固定することができる、という効果が得られる。
【００１８】
請求項２に記載の考案においては、請求項１記載の考案の効果に加えて、ベッド板をその長手方向の一端部が高くなるような傾斜状態に確実に変位させることができるという効果が得られる。
【００１９】
請求項３に記載の考案においては、請求項１または２に記載の考案の効果に加えて、歯車ボックスに固定した筒体内に、ナット体を、回転は阻止されるが筒体長手方向には摺動可能に収容することにより、歯車ボックス内の歯車機構を介してモータにより回転駆動される雄ねじに螺合するナット体を筒体内で摺動させ、これにより、前記ロッドを前記筒体に対し円滑に摺動変位させて伸縮リンクを伸縮させることができるという効果が得られる。
【００２０】
請求項４に記載の考案においては、請求項３に記載の考案の効果に加えて、ナット体の回転が確実に阻止されるという効果が得られる。
【００２１】
請求項５に記載の考案においては、請求項４に記載の考案の効果に加えて、伸縮リンクの伸縮限界位置でモータを確実に停止させる手段を中空溝部を利用して容易に設置することができるという効果が得られる。
【００２２】
請求項６に記載の考案においては、請求項３、４または５に記載の考案の効果に加えて、ウォーム歯車機構により、モータの回転を雄ねじを介してナット体およびロッドに円滑に伝達できるという効果が得られる。
【００２３】
請求項７に記載の考案においては、請求項３、４、５または６に記載の考案の効果に加えて、重量のある歯車ボックスをベッド基台の近くに配置することにより、機構が安定するという効果が得られる。
【００２４】
請求項８に記載の考案においては、請求項３、４、５、６または７に記載の考案の効果に加えて、型材を介して伸縮リンクの基端をベッド基台に枢着することにより強度的に強固なものとなるという効果が得られる。
【考案を実施するための最良の形態】
【００２５】
以下、図１ないし図６に示す本考案の最良の実施形態につき説明する。
【００２６】
図１および図２に示すように、本考案の傾斜支持機構付きベッドＢは、ベッド基台10と、該ベッド基台10上に位置するベッド板11とから構成されている。図１に示すように、ベッド基台10は方形の枠体10ａを有し、方形枠体10ａの内側に物を収容する内部空間12が形成されている。図示の実施形態では、方形枠体10ａの底は開放されていて底がない。
【００２７】
ベッド板11は、ベッド基台10に対し、図２に示す水平位置と、図１に示す傾斜位置との間で回動変位可能にされており、ベッド板11の回動変位は、傾斜支持機構Ｓにより行われる。図１に示されるベッド板11の傾斜位置では、ベッド基台10の内部空間12が開放され、その内部に物を収容したり、物を取出したりすることができる。図２に示される水平位置では、ベッド板11上に人が寝たり掛けたりすることができる。
【００２８】
前記傾斜支持機構Ｓは、ベッド基台10とベッド板11とをそれらの両側辺に沿う位置で連結する長リンク15および短リンク17からなるリンク機構ＬＫと、該リンク機構を回動させる伸縮リンク16とから構成されている。ベッド基台10とベッド板11の上記両側辺は、図示の実施形態ではベッド基台10とベッド板11の長手（縦）方向の両側辺である。傾斜支持機構Ｓは、ベッド基台10およびベッド板11の両側辺のそれぞれに沿って枢着された１対の均等な構成の機構からなる。
【００２９】
なお、図示の実施形態では、ベッド板11はその長手（縦）方向の一端が低く他端が高くなるように傾斜するようになっているが、それに代り、ベッド板11の左右方向（幅方向）の一端が低く他端が高くなるように傾斜するようにすることもできる。この場合には、前記特許文献１の場合のように、リンク機構ＬＫは、ベッド基台10とベッド板11の幅方向の両側辺、すなわち両短辺に沿って設けられる。
【００３０】
前記傾斜支持機構Ｓは、上述のようにベッド基台10およびベッド板11の両側辺のそれぞれに沿って枢着された１対の均等な構成の機構からなるので、以下、一方の側辺に沿う片側の機構のみについて説明する。図３に示すように、ベッド基台10の方形枠体10ａの長手方向側辺の内面には、該方形枠体10ａの底縁に沿って長手方向に型材14が固着されている。型材14は、図１に示されるように例えばＵ字断面の溝型材であって、その溝を内側に向けて方形枠体10ａの長手方向側辺に固定されている。同様に、ベッド板11の長手方向側辺の下面にも、同様な型材13が長手方向に固定されている。前記長リンク15および短リンク17は、それらの上端および下端が型材14、13に枢着される。
【００３１】
ベッド板11がベッド基台10上で水平位置をとる図４の状態において、短リンク17はその下端が、ベッド基台10の型材14の長手方向一端（図４で右端）近くに枢着ピン18で枢着される。短リンク17は、該枢着ピン18から、ベッド基台10の方形枠体10ａの長手方向一端の端枠10eに近づく方向に斜め上方に延び、該短リンク17の上端は、ベッド板11の型材13の長手方向一端（図４で右端）近くで該型材13に枢着ピン19で枢着されている。一方、長リンク15は、その下端が、ベッド基台10の型材14の長手方向他端（図４で左端）近くに枢着ピン21で枢着される。長リンク15は、ベッド基台10の長手方向一端の前記端枠10ｅに近づく方向に斜め上方に延び、その上端がベッド板11の型材13の前記長手方向一端寄りの位置で該型材13に枢着ピン22で枢着されている。長リンク15の下端の枢着ピン21は、図４から明らかなように、ベッド基台10の長手方向寸法の中程よりベッド基台長手方向他端の方へ寄った位置にあるが、この位置はベッドの長さ寸法とリンク機構の寸法により異なる。短リンク17の上端の枢着ピン19より長リンク15の上端の枢着ピン22の方が、ベッド板11の一端（図４における右端）から遠い位置にある。そして、短リンク上端の枢着ピン19と長リンク上端の枢着ピン22の間隔Ｌ１は、短リンク下端の枢着ピン18と長リンク下端の枢着ピン21の間隔Ｌ２より小であり、したがって、図４の状態で、短リンク17と長リンク15は上方に向かって互いに近付く位置関係にある。
【００３２】
傾斜支持機構Ｓを構成する前記伸縮リンク16の下端は、ベッド基台10の型材14に枢着ピン23により枢着されている。伸縮リンク下端の枢着ピン23の位置は、短リンク17の下端の枢着ピン18の位置より前記端枠10ｅから離れてはいるが、枢着ピン23は枢着ピン18に比較的近い位置にある。伸縮リンク16は、枢着ピン23から斜め上方に延び、その上端は前記長リンク15の中程の位置に枢着ピン25により枢着されている。なお、図３に示すように、前記内部空間12には仕切り27を設けて、前記傾斜支持機構Ｓを収容する部分と、物を収容する部分とを区画するのが好ましい。
【００３３】
図５に示すように、伸縮リンク16は、外観的には、前記枢着ピン25に先端を枢着されたロッド30と、内部にロッド30を摺動可能に受ける筒体31と、該筒体31の基端を一体的に支持する歯車ボックス32と、該歯車ボックス32に一体的に支持された可逆式電気モータＭとから構成されている。歯車ボックス32には、伸縮リンク16の基端を前記枢着ピン23で枢着するのに用いるブラケット33が突設されている。
【００３４】
伸縮リンク16を分解して示す図６を参照するに、前記歯車ボックス32はその一端に円筒状突部34を一体的に備え、この突部34に前記筒体31の基端が嵌め込まれて両者が一体化される。筒体31の周面にはその長手方向に中空溝部36が外方に向かって突設され、筒体31の内部と中空溝部36の内部は連通している。中空溝部36の内部には、それに沿って合成樹脂製の樋状部材37が嵌め込まれて固定される。また、図５にも示すように、筒体31の先端側内部には環状のナット体39が軸線方向に摺動可能に嵌め込まれる。ナット体39はその内面に雌ねじ40を有し、その外面に軸線方向の突条41が形成されている。突条41は、中空溝部36内の前記樋状部材37に係合し、樋状部材37の長手方向にそれに案内されながら移動可能とされている。よって、ナット体39は、筒体31の内部で軸線方向に摺動可能ではあるが、回転は阻止される。
【００３５】
図６において、筒体31の内部には、ロッド状の雄ねじ43が挿入されて上記ナット体39の雌ねじ40に螺合される。雄ねじ43は、筒体31の内部に挿入、固定されたボール軸受45により回転可能に支持される。一方、歯車ボックス32の内部には、他のボール軸受47が装着され、両ボール軸受45、47の間にウォーム歯車48が回転可能に支持される。なお、49はボール軸受47の外周に被せる保護カバーである。ウォーム歯車48には、前記モータ Ｍの出力軸に連結されたウォーム51が噛み合う。ウォーム歯車48はロッド状の前記雄ねじ43に同軸的に固定され、ウォーム歯車48の回転により雄ねじ43も回転するようになっている。歯車ボックス32の開口は、前記ブラケット33を一体的に有する蓋体53の取付けによって塞がれる。
【００３６】
前記樋状部材37の両端部にはリミットスイッチＬＳ１，ＬＳ２が取付けられて、前記中空溝部36の内部に固定されている。リミットスイッチＬＳ１，ＬＳ２は、前記ナット体39の突条41により作動されるようになっている。なお、54、55は、リミットスイッチＬＳ１，ＬＳ２への配線であって、前記中空溝部36内を通される。これらの配線54、55はモータ Ｍの作動回路に接続される。前記歯車ボックス32から突出する前記円筒状突部34の上部には角形断面形状をもつ突部56が一体的に形成されており、この突部56内に、前記筒体31の中空溝部36が嵌め込まれて固定される。これにより、筒体31の基端は歯車ボックス32に一体的に連結される。筒体31の先端開口には、前記中空溝部36の開放端部を塞ぐ突部57と前記ロッド30を案内する開口58をもつ案内部材59が嵌め込まれる。また、ロッド30の先端にはキャップ60が嵌め込まれる。
【００３７】
伸縮リンク16は上述の構成を有し、モータＭの作動によりウォーム51とウォーム歯車48からなる歯車機構を介して雄ねじ43がいずれかの方向に回転し、それにより、ナット体39が回転を阻止された状態で筒体31の長手方向に摺動変位する。よって、伸縮リンク16の伸縮動作がなされる。そして、伸縮リンク16の伸縮動作の限界点で前記リミットスイッチＬＳ１、ＬＳ２が作動してモータＭの作動回路が閉じ、モータＭが停止する。モータＭには、それを任意の位置で停止させる作動回路が設けられており、モータＭの停止により伸縮リンク16を無段階で任意の伸縮状態におき、その状態を維持させることができるようになっている。
【００３８】
図４は、伸縮リンク16が最も収縮した状態を示している。この状態では、長リンク15も短リンク17も最も倒れた状態にあり、型材13は水平位置をとり、ベッド板11はベッド基台10上で水平位置にある。したがって、ベッド基台10の内部空間12はベッド板11で閉じられ、ベッド板11上に掛けたり、寝たりすることができる。
【００３９】
図４の状態でモータＭを作動させて伸縮リンク16を伸張させると、伸縮リンク16の上端は、長リンク15に作用して、該長リンク15を図４において枢着ピン21の周りで反時計方向に回動させる。これにより、長リンク15の上端は上昇変位するから、ベッド板11は図３に示す傾斜状態に向かって上昇を始める。一方、伸縮リンク16の伸張により、長リンク15の上端は図４において左方に向かって変位させられるから、短リンク17の上端も同じように左方に向かって変位させられ、したがって、短リンク17は、図４に示される位置から同図において反時計方向に枢着ピン18の周りで回動させられ、図３に示すほぼ直立位置に向かって変位する。このように、長リンク15および短リンク17が図４の位置から反時計方向に回動することにより、ベッド板11は図３に示すように傾斜状態をなしてベッド基台10の上方に変位するとともに、図３において左方にも変位する。ベッド板11が図３において左方が高くなるように傾斜するのは、短リンク17より長い長リンク15が立ち上がるからである。なお、上記のようにベッド板11が図３において左方にも変位することにより、端枠10ｅの直上にベッドボードが立ち上がるように設置されていても、ベッド板11の上方への変位に際して、ベッド板11の図３における右端部がベッドボードと干渉を起こすことがない。
【００４０】
図３の状態は伸縮リンク16を最も伸張させた状態であるが、伸縮リンク16の伸張量を多くすれば、ベッド板11はより多く傾斜させることもできる。図３の状態では、ベッド基台10の内部空間12が開放されるので、物の収納や取り出しを行うことができる。図３の状態でモータＭを逆方向に作動させて伸縮リンク16を収縮させると、長リンク15および短リンク17は図において時計方向に回動し、ベッド板11は図４の水平状態に復帰させることができ、ベッド板11の面を利用することが可能になる。この際、伸縮リンク16は任意の伸張、収縮位置を維持できるので、ベッド板11の水平状態の維持を安定的に行うことができる。
【００４１】
図３と図４の状態の中間の任意の傾斜位置でベッド板11を停止させるには、モータＭを停止させればよい。伸縮リンク16は雄ねじと雌ねじの螺合構造により構成されているから、モータＭを停止させれば、雄ねじと雌ねじは、停止位置での螺合状態を維持し続け、ベッド板11が重くてもまた軽くても、それによって伸縮リンク16の伸張、収縮に影響が及ぶことはなく、停止された螺合位置が維持され、従来のようにばね入り油圧シリンダまたはエアシリンダを用いて伸縮リンクを構成する場合のように、ベッド板がその中間傾斜位置でばね力などで跳ね上がる等の問題が起きず、ベッド板11の任意傾斜位置が固定的かつ安定的に維持される。
【００４２】
また、伸縮リンク16はベッド基台10と長リンク15の間に設けられるから、伸縮リンクの上端がベッド板に直接連結される従来の場合に比し、伸縮リンクの長さが短くてすみ、その伸張量が少なくて済む。そして、伸縮リンク16は長リンク15に作用して、長リンク15を寝た状態から起こすから、少ない伸張量でより多くの回動角度にわたり長リンク15を起こすことができ、結果として、伸縮リンクを含むリンク機構全体を小型化することが可能になる。
【図面の簡単な説明】
【００４３】
【図１】本考案の傾斜支持機構付きベッドの傾斜状態における斜視図。
【図２】本考案の傾斜支持機構付きベッドの水平状態における斜視図。
【図３】本考案の傾斜支持機構付きベッドの、図１に対応する一部断面側面図。
【図４】本考案の傾斜支持機構付きベッドの、図２に対応する一部断面側面図。
【図５】伸縮リンクの外観斜視図。
【図６】伸縮リンクの分解斜視図。
【符号の説明】
【００４４】
Ｂ…傾斜支持機構付きベッド、Ｓ…傾斜支持機構、ＬＫ…リンク機構、Ｍ…電気モータ 、10…ベッド基台、11…ベッド板、10ａ…ベッド基台の枠体、10e…端枠、12…内部空間、13…型材、14…型材、15…長リンク、16…伸縮リンク、17…短リンク、18、19、21、22、24、25…枢着ピン、27…仕切り、30…ロッド、31…筒体、32…歯車ボックス、34…円筒状突部、36…中空溝部、37…樋部材、39…ナット体、40…雌ねじ、41…突条、43…雄ねじ、45…ボール軸受、47…ボール軸受、48…ウォーム歯車、49…保護カバー、51…ウォーム、53…蓋体、54、55…配線、ＬＳ１，ＬＳ２…リミットスイッチ、56…突部、59…案内部材、60…キャップ。
【図１】
0003130246.tif 000003
【図２】
0003130246.tif 000004
【図３】
0003130246.tif 000005
【図４】
0003130246.tif 000006
【図５】
0003130246.tif 000007
【図６】
0003130246.tif 000008